【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第1の系列および前記第1の系列の共役を備えるフレームを生成するステップと、
ワイヤレスノードへの送信のために前記フレームを出力するステップであって、前記第1の系列が、第1の送信チェーンを介して送信され、前記第1の系列の前記共役が、第2の送信チェーンを介して同時に送信され、前記第1の系列が、前記送信の前に前記ワイヤレスノードによって知られており、前記第1の系列が、π/2だけ回転されたゴレイ符号の系列を備える、ステップと、
を備える、方法。
【請求項２】
前記第1の系列がチャネル推定系列(CES)を備える、
請求項1に記載の方法。
【請求項３】
前記第1の系列が、元の系列と前記元の系列の共役との第1の線形結合に基づいて生成される、
請求項1に記載の方法。
【請求項４】
前記第1の系列の前記共役が、前記元の系列と前記元の系列の前記共役との第2の線形結合に基づいて生成される、
請求項3に記載の方法。
【請求項５】
前記第1および第2の線形結合が、前記元の系列の前記共役、および複素位相を表す値に基づいて実行される、
請求項4に記載の方法。
【請求項６】
ワイヤレス通信のための方法であって、
第1および第2の受信チェーンを介して同時に受信された、第1の系列および前記第1の系列の共役を備えるフレームを、装置によってワイヤレスノードから取得するステップであって、前記第1の系列が、前記フレームを取得する前に前記装置によって知られている、ステップと、
前記第1の受信チェーンを介して受信された場合の前記第1の系列に基づいて、第1の信号推定値を生成するステップと、
前記第1の受信チェーンを介して受信された場合の前記第1の系列の前記共役に基づいて、第2の信号推定値を生成するステップと、
前記第2の受信チェーンを介して受信された場合の前記第1の系列に基づいて、第3の信号推定値を生成するステップと、
前記第2の受信チェーンを介して受信された場合の前記第1の系列の前記共役に基づいて、第4の信号推定値を生成するステップと、
前記第1の信号推定値、前記第2の信号推定値、前記第3の信号推定値、および前記第4の信号推定値に基づいて、多入力多出力(MIMO)信号推定値を生成するステップであって、前記第1の系列が、π/2だけ回転されたゴレイ符号の系列を備える、ステップと、
を備える、方法。
【請求項７】
前記第1の系列がチャネル推定系列(CES)を備え、前記第1、第2、第3、および第4の信号推定値がチャネル推定値を備える、
請求項6に記載の方法。
【請求項８】
前記第1の信号推定値を生成するステップが、ゴレイ符号の前記系列に基づいて少なくとも前記第1の信号推定値をゴレイ相関器を介して生成するステップを備える、
請求項6に記載の方法。
【請求項９】
前記フレームが、第2の系列および前記第2の系列の共役をさらに備え、前記方法が、
前記第1の系列および前記第1の系列の前記共役の受信の後の時間期間において前記第1および第2の受信チェーンを介して前記第2の系列および前記第2の系列の前記共役を同時に受信するステップであって、前記フレームの中の前記第2の系列が、前記フレームを取得する前に前記装置によって知られている、ステップと、
前記第1の受信チェーンにおいて受信された場合の前記第2の系列に基づいて、第5の信号推定値を生成するステップと、
前記第1の受信チェーンにおいて受信された場合の前記第2の系列の前記共役に基づいて、第6の信号推定値を生成するステップと、
前記第2の受信チェーンにおいて受信された場合の前記第2の系列に基づいて、第7の信号推定値を生成するステップと、
前記第2の受信チェーンにおいて受信された場合の前記第2の系列の前記共役に基づいて、第8の信号推定値を生成するステップと、
をさらに備える、請求項6に記載の方法。
【請求項１０】
前記第1の系列および前記第1の系列の前記共役の受信の後の時間期間において第3および第4の受信チェーンを介して前記第2の系列および前記第2の系列の前記共役を同時に受信するステップと、
前記第3の受信チェーンを介して受信された場合の前記第1の系列に基づいて、第9の信号推定値を生成するステップと、
前記第3の受信チェーンを介して受信された場合の前記第1の系列の前記共役に基づいて、第10の信号推定値を生成するステップと、
前記第4の受信チェーンを介して受信された場合の前記第1の系列に基づいて、第11の信号推定値を生成するステップと、
前記第4の受信チェーンを介して受信された場合の前記第1の系列の前記共役に基づいて、第12の信号推定値を生成するステップと、
前記第3の受信チェーンを介して受信された場合の前記第2の系列に基づいて、第13の信号推定値を生成するステップと、
前記第3の受信チェーンを介して受信された場合の前記第2の系列の前記共役に基づいて、第14の信号推定値を生成するステップと、
前記第4の受信チェーンを介して受信された場合の前記第2の系列に基づいて、第15の信号推定値を生成するステップと、
前記第4の受信チェーンを介して受信された場合の前記第2の系列の前記共役に基づいて、第16の信号推定値を生成するステップと、
をさらに備える、請求項9に記載の方法。
【請求項１１】
ワイヤレス通信のための装置であって、
第1の系列および前記第1の系列の共役を備えるフレームを生成するための手段と、
ワイヤレスノードへの送信のために前記フレームを出力するための手段であって、前記第1の系列が、第1の送信チェーンを介して送信され、前記第1の系列の前記共役が、第2の送信チェーンを介して同時に送信され、前記第1の系列が、前記送信の前に前記ワイヤレスノードによって知られており、前記第1の系列が、π/2だけ回転されたゴレイ符号の系列を備える、手段と、
を備える、装置。
【請求項１２】
ワイヤレス通信のための装置であって、
第1および第2の受信チェーンを介して同時に受信された第1の系列および前記第1の系列の共役を備えるフレームを、ワイヤレスノードから取得するための手段であって、前記第1の系列が、前記フレームを取得する前に前記装置によって知られている、手段と、
前記第1の受信チェーンを介して受信された場合の前記第1の系列に基づいて、第1の信号推定値を生成するための手段と、
前記第1の受信チェーンを介して受信された場合の前記第1の系列の前記共役に基づいて、第2の信号推定値を生成するための手段と、
前記第2の受信チェーンを介して受信された場合の前記第1の系列に基づいて、第3の信号推定値を生成するための手段と、
前記第2の受信チェーンを介して受信された場合の前記第1の系列の前記共役に基づいて、第4の信号推定値を生成するための手段と、
前記第1の信号推定値、前記第2の信号推定値、前記第3の信号推定値、および前記第4の信号推定値に基づいて、多入力多出力(MIMO)信号推定値を生成するための手段であって、前記第1の系列が、π/2だけ回転されたゴレイ符号の系列を備える、手段と、
を備える、装置。
【請求項１３】
コンピュータ可読記憶媒体であって、実行されたときに、請求項1から5または6から10のいずれか一項に記載の方法を実行するために実行可能な命令を含む、
コンピュータ可読記憶媒体。
【請求項１４】
ワイヤレスノードであって、
少なくとも1つのアンテナと、
請求項11に記載された前記生成するための手段を実現するように構成された処理システムと、
請求項11に記載された前記出力するための手段を実現するように構成された送信機と、
を備える、ワイヤレスノード。
【請求項１５】
ワイヤレスノードであって、
少なくとも1つのアンテナと、
請求項12に記載された前記取得するための手段を実現するように構成された受信機と、
請求項12に記載された様々な前記生成するための手段を実現するように構成された処理システムと、
を備える、ワイヤレスノード。